(57)【要約】【課題】  水栓金具と、洗面器を載置するためのカウンターとの間隔を大きくとることなく、カウンターを起伏可能に形成して跳ね水の飛散を防止し、水栓金具等の露出を防止して洗い場の壁面をすっきりと整然化でき、カウンターの起立時も水栓金具の使用を可能にする。【解決手段】  洗い場１側の壁面２に設ける水栓金具３を覆うカバー部材４と、このカバー部材４の下方位置に設けて水栓金具３から流れ出る水を受ける洗面器８の載置用カウンター９とを備える。このカウンター９を、奥側の枢着部１０を介して前後方向に起伏動作自在に設ける。先端に吐水口３ｃを有する上記水栓金具３の通水管部３ｂを、上記カバー部材４の前端面４ｂの下端を越えて前方に突き出させる。カウンター９の前端部９ａに、カウンター９の起立時に上記の通水管部３ｂに通す切欠き１１を形成する。【選択図】      図１
2005124958.tif 000002
【特許請求の範囲】
【請求項１】
洗い場側の壁面に設けられる水栓金具を覆うカバー部材と、このカバー部材の下方位置に設けられて水栓金具から流れ出る水を受ける洗面器の載置用カウンターとを備え、このカウンターが奥側の枢着部を介して前後方向に起伏動作自在に設けられている浴室壁面取付用ユニットであって、先端に吐水口を有する上記水栓金具の通水管部が、上記カバー部材の前端面の下端を越えて前方に突き出され、上記のカウンターの前端部に、カウンターの起立時に上記の通水管部に通される切欠きが形成されていることを特徴とする浴室壁面取付用ユニット。
【請求項２】
請求項１記載の浴室壁面取付用ユニットであって、カウンターが、起立時に洗い場側に面する裏面をカバー部材の前端面と垂直面をほぼ同一にさせて配置されることを特徴とする浴室壁面取付用ユニット。
【請求項３】
請求項１又は２記載の浴室壁面取付用ユニットであって、水栓金具がカバー部材の下側に延びるシャワーホースを備え、このシャワーホースの先端部に接続されるシャワーヘッドを引っ掛けるための引っ掛け具が、カバー部材とカウンターとの間の壁面の位置に設けられ、引き起こされたカウンターでシャワーホースとシャワーヘッドが遮蔽されることを特徴とする浴室壁面取付用ユニット。
【請求項４】
請求項３記載の浴室壁面取付用ユニットであって、引っ掛け具が壁面の位置に設けられるのに代え、カウンターの奥側に左右方向に延びて形成される凸段差部の洗い場側に面する前面に設けられていることを特徴とする浴室壁面取付用ユニット。
【請求項５】
洗い場側の壁面に設けられる水栓金具を覆うカバー部材と、このカバー部材の下方位置に設けられて水栓金具から流れ出る水を受ける洗面器の載置用カウンターとを備え、このカウンターが奥側の枢着部を介して前後方向に起伏動作自在に設けられている浴室壁面取付用ユニットであって、上記の水栓金具がカバー部材の下側に延びるシャワーホースを備え、このシャワーホースの先端部に接続されるシャワーヘッドを引っ掛けるための引っ掛け具が、カバー部材とカウンターとの間の壁面の位置に設けられ、引き起こされたカウンターでシャワーホースとシャワーヘッドが遮蔽されることを特徴とする浴室壁面取付用ユニット。
【請求項６】
請求項５記載の浴室壁面取付用ユニットであって、引っ掛け具が壁面の位置に設けられるのに代え、カウンターの奥側に左右方向に延びて形成される凸段差部の洗い場側に面する前面に設けられていることを特徴とする浴室壁面取付用ユニット。
【請求項７】
請求項５又は６記載の浴室壁面取付用ユニットであって、カウンターが、起立時に洗い場側に面する裏面をカバー部材の前端面と垂直面をほぼ同一にさせて配置されることを特徴とする浴室壁面取付用ユニット。
【発明の詳細な説明】
【技術分野】
【０００１】
本発明は浴室壁面取付用ユニットに関し、更に詳しくは水栓金具を覆うカバー部材や、その下方位置に設ける洗面器載置用カウンター等からなる浴室壁面取付用ユニットに関するものである。
【背景技術】
【０００２】
従来この種のユニットとしては、例えば洗い場の側壁部の下方位置に水栓金具を設け、且つこの側壁部にカウンターを付設し、このカウンターに湯桶を載置するための台を、床面との間に適当な間隔を有して前後方向に起伏動作自在に設けているものがある（特許文献１参照）。
【０００３】
而して上記の従来品の場合は、湯桶を載置するための台を引き起こすとき、台の前端が水栓金具と衝突しないよう、通常、台と水栓金具との間隔を大きくとる必要があった。そのため従来品によると、水栓金具から流れ出る水が台の上面や洗面器の底で跳ね、飛沫が周囲に飛び散り易いものであった。また従来品の場合は、水栓金具が露出し、水栓金具にシャワーホース等が付設される場合はシャワーホースやシャワーヘッドが壁面に露出するため、従来品によると洗い場の壁面が雑然化し易い、という問題点があった。
而してこの場合、起伏動作する湯桶載置台で、水栓金具をその裏側に単に隠すのでは、水栓金具から湯水を出す度に、台を手前側に引き倒す必要があり、使い勝手が悪くなる。
【特許文献１】特開平５−２８５０５９号公報
【発明の開示】
【発明が解決しようとする課題】
【０００４】
本発明は、このような従来技術の問題点に鑑み、提案されたものである。
従って本発明の解決しようとする技術的課題は、水栓金具と、洗面器を載置するためのカウンター（台）との間隔を大きくとることなく、カウンターを起伏可能に形成して跳ね水の飛散を防止し、水栓金具等の露出を防止して洗い場の壁面をすっきりと整然化でき、カウンターの起立時も水栓金具の使用が可能になるよう形成した浴室壁面取付用ユニットを提供することにある。
【課題を解決するための手段】
【０００５】
本発明は、上記の課題を解決するため、次のような技術的手段を採る。
即ち本発明は、図１等に示されるように、洗い場１側の壁面２に設けられる水栓金具３を覆うカバー部材４と、このカバー部材４の下方位置に設けられて水栓金具３から流れ出る水を受ける洗面器８の載置用カウンター９とを備え、このカウンター９が奥側の枢着部１０を介して前後方向に起伏動作自在に設けられている浴室壁面取付用ユニットであって、先端に吐水口３ｃを有する上記水栓金具３の通水管部３ｂが、上記カバー部材４の前端面４ｂの下端を越えて前方に突き出され、上記のカウンター９の前端部９ａに、カウンター９の起立時に上記の通水管部３ｂに通される切欠き１１が形成されていることを特徴とする（請求項１）。
【０００６】
本発明の場合、切欠き１１の横幅、深さ、形状等は任意である。また本発明は、水平状態で回動自在に形成されている通水管部３ｂを、真正面に向けていなくてもカウンター９を引き起こすことができるよう、切欠き１１はその横幅が長めに形成されているのが良い。
【０００７】
また請求項１記載の本発明の場合、カウンター９は、起立時に、洗い場１側に面する裏面９ｂをカバー部材４の前端面４ｂと垂直面をほぼ同一にさせて配置されるのが好ましい（請求項２）。
なぜならこれによると、カバー部材４の前端面４ｂとカウンター９の裏面９ｂとが連続した垂直壁を形作るため、洗い場１の壁面２の整然化を一層図ることができるからである。
【０００８】
また請求項１又は２記載の本発明の場合は、図４〜図６に示されるように、水栓金具３がカバー部材４の下側に延びるシャワーホース５を備え、このシャワーホース５の先端部に接続されるシャワーヘッド６を引っ掛けるための引っ掛け具７が、カバー部材４とカウンター９との間の壁面２の位置に設けられ、引き起こされたカウンター９でシャワーホース５とシャワーヘッド６が遮蔽されるのでも良い（請求項３）。
この場合は、シャワーホース５等をカウンター９の後に隠すことができ、シャワーホース５等が露出することによる見苦しさを一掃でき、洗い場１側の壁面２の整然化を一層図ることができる。
【０００９】
またこの請求項３記載の本発明の場合は、引っ掛け具７が壁面２の位置に設けられるのに代え、図７〜図９に示されるように、カウンター９の奥側に左右方向に延びて形成される凸段差部９ｃの洗い場１側に面する前面９ｄに設けられているのでも良い（請求項４）。
この場合は、シャワーヘッド６をカウンター９の開放状の側方から抜脱操作し易く、またカウンター９の起立時に上向きになる凸段差部９ｃの前面９ｄにシャワーホース５を配置でき、カウンター９と壁面２との間からシャワーホース５が垂れ下がることを防止できる。凸段差部９ｃは、具体的には角材状や、或いはカウンター９の後端部が鉤形に屈曲形成されることで実現される。また凸段差部９ｃは、カウンター９の横幅のほぼ全長にわたって左右方向に延びて形成されるのが好ましい。なぜならこれによると、シャワーホース５を凸段差部９ｃに、一層確実に且つ安定した状態で載置できるからである。
【００１０】
また本発明の課題を達成する他の構成としては、図１０等に示されるように、洗い場１側の壁面２に設けられる水栓金具３を覆うカバー部材４と、このカバー部材４の下方位置に設けられて水栓金具３から流れ出る水を受ける洗面器８の載置用カウンター９とを備え、このカウンター９が奥側の枢着部１０を介して前後方向に起伏動作自在に設けられている浴室壁面取付用ユニットであって、上記の水栓金具３がカバー部材４の下側に延びるシャワーホース５を備え、このシャワーホース５の先端部に接続されるシャワーヘッド６を引っ掛けるための引っ掛け具７が、カバー部材４とカウンター９との間の壁面２の位置に設けられ、引き起こされたカウンター９でシャワーホース５とシャワーヘッド６が遮蔽されることを特徴とするものがある（請求項５）。
【００１１】
この場合、引っ掛け具７は、シャワーヘッド６を引っ掛けることができる形態であればその構造は任意である。またここで、引き起こされたカウンター９で遮蔽される、とは、引き起こされたカウンター９が壁面２との間にシャワーホース５、シャワーヘッド６の収納用スペースＳを形成し、このスペースＳにシャワーホース５等が収納されてカウンター９の裏側に隠される、ということを意味する。
【００１２】
また請求項５記載の本発明の場合は、引っ掛け具７が、壁面２の位置に設けられるのに代え、図７等に示されるように、カウンター９の奥側に左右方向に延びて形成される凸段差部９ｃの洗い場１側に面する前面９ｄに設けられているのでも良い（請求項６）。
この場合は、カウンター９を引き起こしたとき、凸段差部９ｃの前面９ｄが上向きになるため、この前面９ｄにシャワーホース５を載置でき、カウンター９と壁面２との間からシャワーホース５が垂れ下がることを防止できる。
【００１３】
また請求項５又は６記載の本発明の場合は、カウンター９が、起立時に洗い場１側に面する裏面９ｂをカバー部材４の前端面４ｂと垂直面をほぼ同一にさせて配置されるのが好ましい（請求項７）。
なぜならこれによると、カバー部材４の前端面４ｂと、カウンター９の裏面９ｂとで垂直壁が形作られ、洗い場１側の壁面２の整然化を一層図ることができるからである。
【発明の効果】
【００１４】
本発明は、上記のような構成に係るから、これによると、水栓金具の通水管部とカウンターとの間隔を短くでき、跳ね水の飛散を防止できる。また本発明の場合は、水栓金具がカバー部材で覆われ、カバー部材と起立時のカウンターの前端部（上端部）との隙間を小さくできる。従ってこれによると、洗い場の壁面がすっきりし、壁面やカウンター周りを整然化できる。また本発明では、カウンターの起立時に、水栓金具の通水管部が切欠きを介して前方に突き出されている。従ってこれによると、カウンターを起立させたまま、水栓金具から吐水させることができる。
【００１５】
また請求項５記載の本発明の場合は、シャワーヘッドを、カバー部材とカウンターとの間の壁面の位置に設けた引っ掛け具に引っ掛けて配置でき、カウンターを起立させることにより、シャワーヘッドやシャワーホースを隠すことができる。
従ってこれによれば、シャワーヘッドやシャワーホースが洗い場の壁面に露出することを防止でき、洗い場の壁面がすっきりし、壁面やカウンター周りを整然化できる。
【発明を実施するための最良の形態】
【００１６】
以下、本発明を実施するための最良の形態を説明する。
図１等において、１は洗い場であり、２はこの洗い場１側の壁面である。３は水栓金具としての湯水混合水栓であり、４はこの水栓金具３を覆うカバー部材である。このカバー部材４は、水栓金具３と共に壁面２の下方位置に設けられている。カバー部材４は、この実施形態では横長の箱形に形成され、上面４ａは小物を載置できるよう平面状に形成されている。またこのカバー部材４の垂直状の前端面４ｂに、水栓金具３の操作摘み３ａが左右一対状に設けられている。水栓金具３の通水管部３ｂは、カバー部材４の前端面４ｂの下端を越えて前方に突き出されている。３ｃは、通水管部３ｂの先端に形成されている吐水口である。水栓金具３は、カバー部材４の下側に延びるシャワーホース５を備え、このシャワーホース５の先端部にシャワーヘッド６が接続されている。シャワーヘッド６は、カバー部材４の上方の壁面２の適宜位置に設けられている引っ掛け具７に引っ掛けられている。
【００１７】
８は、水栓金具３から流れ出る水を受ける洗面器である。また９は、この洗面器８の載置用カウンターである。このカウンター９は、カバー部材４の下方位置の壁面２に、奥側の枢着部１０を介して前後方向に起伏動作自在に設けられている。またこのカウンター９は、その前端部９ａの中央位置に、カウンター９の起立時に上記の通水管部３ｂに通される切欠き１１がＵ字孔形に形成されている。またカウンター９は、図１Ｂ、図２等に示されるように、起立時に洗い場１側に面する裏面９ｂをカバー部材４の前端面４ｂと垂直面をほぼ同一にさせて配置されている。またカウンター９は、この実施形態では前端部９ａが壁面２と平行状になるよう左右方向に延びて直線状に形成されると共に、全体の形状が方形に形成されている。従ってこの実施形態の場合は、カウンター９を起立させると、カウンター９の前端部９ａとカバー部材４の前端面４ｂの下端との隙間が横方向に細線状に延びるため目立たず、また箱形のカバー部材４と形態が統一するため、壁面２がすっきりとした印象を入浴者に与えることができる。
【００１８】
次に本発明の使用例を説明する。
入浴者は、図１Bに示されるように、通水管部３ｂの吐水口３ｃの下方にあたるカウンター９の上面位置に洗面器８を置いて使用する。カウンター９を仕舞うときは、水栓金具３の通水管部３ｂを正面に向け、カウンター９を引き起こす。するとカウンター９の切欠き１１が通水管部３ｂに通され、この実施形態では通水管部３ｂが切欠き１１の間に配置された状態でカウンター９が起立する。このとき、カバー部材４の前端面４ｂとカウンター９の洗い場１側に面する裏面９ｂとは、垂直面がほぼ同一の状態になる。カウンター９を再度使用するときは、起立状態のカウンター９を手前側に回動させて倒伏させる。この場合、カウンター９の後端面が壁面２に当接し、これによりカウンター９はほぼ水平状に配置される。
【００１９】
以上の処において、シャワーヘッド６を引っ掛けるための引っ掛け具７は、図４に示されるように、カバー部材４とカウンター９との間の壁面２の位置に設けられ、図５、図６に示されるように、本発明はシャワーホース５とシャワーヘッド６が、引き起こされたカウンター９で遮蔽されるよう形成されているのでも良い。９ｃは、カウンター９の奥側に左右方向に延びて、例えば角材状に形成されている凸段差部である。この本発明の場合は、図６に示されるように、カウンター９を起立させて閉じたとき、洗い場１側に面した凸段差部９ｃの前面９ｄが上向きになるため、この前面９ｄにシャワーホース５は配置され、カウンター９の下側に垂れ下がることが防止される。
【００２０】
また引っ掛け具７は、図７から図９に示されるように、カウンター９の倒伏時に洗い場１に面する上記凸段差部９ｃの前面９ｄに設けられているのでも良い。この場合は、カウンター９を閉じて起立させると、凸段差部９ｃの前面９ｄが上になり、この前面９ｄにシャワーヘッド６と共にシャワーホース５が載置され、カウンター９の下側にシャワーホース５が垂れ下がることが防止される。
【００２１】
また本発明の課題を達成する他の構成としては、図１０、図１１に示されるものがある。以下、この本発明の好適な一実施形態を説明する。なお上例と同一箇所、同一部材については、同一の符号を付し、詳しい説明は省略する。
【００２２】
この本発明は、洗い場１側の壁面２に設けられる水栓金具３を覆うカバー部材４と、このカバー部材４の下方位置に設けられて水栓金具３から流れ出る水を受ける洗面器８の載置用カウンター９とを備えて形成されている。カバー部材４は横長の箱形に形成され、カウンター９は奥側の枢着部１０を介して前後方向に起伏動作自在に設けられている。カウンター９は、カバー部材４と形態が統一するよう、前端部９ａが左右方向に延びて壁面２と平行状に形成されると共に、方形に形成されている。
【００２３】
上記の水栓金具３は、例えば薄い角パイプ状に通水管部３ｂが形成され、カバー部材４の下側に延びるシャワーホース５を備えて形成されている。シャワーホース５の先端部にはシャワーヘッド６が接続され、このシャワーヘッド６を引っ掛けるための引っ掛け具７がカバー部材４とカウンター９との間の壁面２の位置に設けられている。シャワーヘッド６は、この引っ掛け具７に引っ掛けられ、シャワーホース５と共に、引き起こされたカウンター９で遮蔽される。カウンター９は、引き起こされると、壁面２との間に、シャワーホース５、シャワーヘッド６の収納用スペースＳを形成する。カウンター９の奥側には、左右方向に延びて例えば角材状の凸段差部９ｃが形成されている。
【００２４】
この本発明の場合は、カウンター９が引き起こされると、カウンター９の倒伏時に洗い場１に面する前面９ｄが上向きになる。従ってシャワーホース５は、この前面９ｄに載置されてスペースＳに収納され、カウンター９でシャワーヘッド６と共に隠される。それ故これによると、洗い場１側の壁面２にシャワーヘッド６等が露出することを防止でき、壁面２をすっきりと整然化できる。
【００２５】
なおこの本発明の場合、上記の引っ掛け具７は、図７等に示されるように、凸段差部９ｃの前面９ｄに設けられているのでも良い。またこの本発明の場合は、図１０に示されるように、洗い場１側の壁面２の整然化を一層図ることができるよう、カウンター９が、起立時に、洗い場１側に面する裏面９ｂをカバー部材４の前端面４ｂと垂直面をほぼ同一にさせて配置されるのが良い。
【図面の簡単な説明】
【００２６】
【図１】本発明の浴室壁面取付用ユニットの好適な一実施例を示し、Ａは正面図、Ｂは側面図である。
【図２】同上ユニットのカウンター起立時の斜視図である。
【図３】同上ユニットのカウンター倒伏時の斜視図である。
【図４】同上ユニットの他の実施形態を示す斜視図である。
【図５】図４の実施形態に係る本発明ユニットの斜視図である。
【図６】図４の実施形態に係る本発明ユニットの正面図である。
【図７】本発明ユニットの更に他の実施形態を示す斜視図である。
【図８】図７の実施形態に係る本発明ユニットの斜視図である。
【図９】図７の実施形態に係る本発明ユニットの正面図である。
【図１０】本発明の他の構成を示す側面図である。
【図１１】図１０の本発明ユニットの正面図である。
【符号の説明】
【００２７】
１    洗い場
２    壁面
３    水栓金具
３ｂ  通水管部
３ｃ  吐水口
４    カバー部材
４ｂ  前端面
８    洗面器
９    カウンター
９ａ  前端部
１０  枢着部
１１  切欠き
【図１】
2005124958.tif 000003
【図２】
2005124958.tif 000004
【図３】
2005124958.tif 000005
【図４】
2005124958.tif 000006
【図５】
2005124958.tif 000007
【図６】
2005124958.tif 000008
【図７】
2005124958.tif 000009
【図８】
2005124958.tif 000010
【図９】
2005124958.tif 000011
【図１０】
2005124958.tif 000012
【図１１】
2005124958.tif 000013